(57)【要約】      （修正有）【課題】玄関子機と居室親機との間、玄関子機と汎用ネットワークを経由してＩＰ電話との間の通話時、通話音声とは異なる住戸内の周囲環境音又はＩＰ電話の周囲環境音の玄関子機からの出力を防止する。【解決手段】居室親機マイクに入力された親機入力信号又は汎用ネットワークを経由してＩＰ電話から当該居室親機に伝送されてくるデータ信号の特定の周波数のパワースペクトラムをＧＯＥＲＴＺＥＬアルゴリズムにより演算し、演算結果をもとに所定の閾値を超えた周波数スペクトラムの本数に応じて、親機入力信号及びデータ信号の種類がそれぞれ、無音信号又は音声信号であることを判別する。また、居室親機のＣＰＵは、無音信号が判別されたときには通話路切替部を制御して、親機マイクから玄関子機の子機スピーカへの信号伝送ライン、又はＩＰ電話から汎用ネットワーク、居室親機を経由して玄関子機の子機スピーカへの信号伝送ラインを遮断する。【選択図】図１
2009060208.tif 000002
【特許請求の範囲】
【請求項１】
住戸外に設置され来訪者が住戸内に在室中の居住者を呼び出して通話を成立させるための音声信号を入出力する子機マイク（１０３）及び子機スピーカ（１０４）を有する玄関子機（１）と、前記住戸内に設置され前記玄関子機からの呼び出しに応答した前記居住者が前記来訪者との間で通話を成立させるための前記音声信号を入出力する親機マイク（２０２）及び親機スピーカ（２０３）を有する居室親機（２ａ、２ｂ）とを設け、
前記居室親機には、前記親機マイクへの親機入力信号の特定の周波数のパワースペクトラムを演算するための送話演算部（２０８）と、前記送話演算部の演算結果をもとに所定の閾値を超えた周波数スペクトラムを検知するための送話パワースペクトラム検知部（２０９）と、前記送話パワースペクトラム検知部にて検知された周波数スペクトラムの本数に応じて、前記親機入力信号の種類が無音信号又は前記音声信号であることを判定するための送話信号判定部（２１０）と、前記送話信号判定部にて前記無音信号が判定されたとき、前記居室親機の前記親機マイクに入力された前記親機入力信号の前記玄関子機の前記子機スピーカへの伝送を遮断するための通話路切替部（２０６）とを備えたことを特徴とするインターホンシステム。
【請求項２】
住戸外に設置され来訪者が住戸内に在室中の居住者を呼び出して通話を成立させるための音声信号を入出力する子機マイク（１０３）及び子機スピーカ（１０４）を有する玄関子機（１）と、前記住戸内に設置され前記玄関子機からの呼び出しに応答した前記居住者が前記来訪者との間で通話を成立させるための前記音声信号を入出力する親機マイク（２０２）及び親機スピーカ（２０３）を有する居室親機（２ａ、２ｂ）と、汎用ネットワーク（３）により接続される前記居室親機を経由して前記玄関子機との間で通話を成立させるための前記音声信号を送受信するＩＰ電話（４）とを設け、
前記居室親機には、前記汎用ネットワークを経由して前記ＩＰ電話から伝送されてくるデータ信号の特定の周波数のパワースペクトラムを演算するための送話演算部（２０８）と、前記送話演算部の演算結果をもとに所定の閾値を超えた周波数スペクトラムを検知するための送話パワースペクトラム検知部（２０９）と、前記送話パワースペクトラム検知部にて検知された周波数スペクトラムの本数に応じて、前記データ信号の種類が無音信号又は前記音声信号であることを判定するための送話信号判定部（２１０）と、前記送話信号判定部にて前記無音信号が判定されたとき、前記ＩＰ電話にて入力された前記データ信号の前記汎用ネットワークを経由して前記玄関子機の前記子機スピーカへの伝送を遮断するための通話路切替部（２０６）とを備えたことを特徴とするインターホンシステム。
【請求項３】
前記居室親機には、前記玄関子機の前記子機マイクへの子機入力信号の特定の周波数のパワースペクトラムを演算するための受話演算部（２１６）と、前記受話演算部の演算結果をもとに所定の閾値を超えた周波数スペクトラムを検知するための受話パワースペクトラム検知部（２１７）と、前記受話パワースペクトラム検知部にて検知された周波数スペクトラムの本数に応じて、前記子機入力信号の種類が無音信号又は前記音声信号であることを判定するための受話信号判定部（２１８）と、前記送話信号判定部にて前記音声信号が判定され、前記受話信号判定部にて前記無音信号が判定されたときには送話モードであると検出し、前記送話信号判定部にて前記無音信号が判定され、前記受話信号判定部にて前記音声信号が判定されたときには受話モードとあると検出するためのパワースペクトラムレベル比較部（２１９）と、前記パワースペクトラムレベル比較部にて前記送話モードが検出されたとき、前記玄関子機の前記子機マイクに入力された前記音声信号の前記親機スピーカ又は前記汎用ネットワークを経由して前記ＩＰ電話への伝送を遮断するための通話路切替部（２１５）とを備えたことを特徴とする請求項１又は請求項２記載のインターホンシステム。
【請求項４】
前記居室親機には、前記玄関子機の前記子機マイクへの子機入力信号の特定の周波数のパワースペクトラムを演算するための受話演算部（２１６）と、前記受話演算部の演算結果をもとに所定の閾値を超えた周波数スペクトラムを検知するための受話パワースペクトラム検知部（２１７）と、前記受話パワースペクトラム検知部にて検知された周波数スペクトラムの本数に応じて、前記子機入力信号の種類が無音信号又は前記音声信号であることを判定するための受話信号判定部（２１８）と、前記送話信号判定部及び前記受話信号判定部にてそれぞれ前記音声信号が判定されたときに前記送話パワースペクトラム検知部にて検知された送話周波数スペクトラムと前記受話パワースペクトラム検知部にて検知された受話周波数スペクトラムとを比較し、前記送話周波数スペクトラムのレベルが前記受話周波数スペクトラムのレベルよりも大きい場合には送話モード、前記送話周波数スペクトラムのレベルが前記受話周波数スペクトラムのレベルよりも小さい場合には受話モードであるとそれぞれ検出するためのパワースペクトラムレベル比較部（２１９）と、前記パワースペクトラムレベル比較部にて前記送話モードが検出されたとき、前記玄関子機の子機マイクに入力された前記音声信号の前記親機スピーカ又は前記汎用ネットワークを経由して前記ＩＰ電話への伝送を遮断するための通話路切替部（２１５）とを備えたことを特徴とする請求項１又は請求項２記載のインターホンシステム。
【請求項５】
前記居室親機の前記送話演算部及び前記受話演算部にて行う演算処理、前記送話パワースペクトラム検知部及び前記受話パワースペクトラム検知部にて行う検知処理、前記送話信号判定部及び前記受話信号判定部にて行う判定処理はそれぞれ、時分割に分割させて処理されることを特徴とする請求項３又は請求項４記載のインターホンシステム。
【請求項６】
前記居室親機の前記送話演算部及び前記受話演算部はそれぞれ、ＧＯＥＲＴＺＥＬアルゴリズム演算部にて構成されることを特徴とする請求項１乃至請求項５のうち何れか１項記載のインターホンシステム。
【請求項７】
前記居室親機の前記送話信号判定部及び前記受話信号判定部は、前記送話パワースペクトラム検知部及び前記受話パワースペクトラム検知部にて検知された周波数スペクトラムの本数をｎ（ここに、ｎは０及び正の整数。）とすると、ｎ＜２となる場合には前記子機入力信号、前記親機入力信号及び前記データ信号が前記無音信号、ｎ＞２となる場合には前記子機入力信号、前記親機入力信号及び前記データ信号が前記音声信号とそれぞれ判定することを特徴とする請求項１乃至請求項６のうち何れか１項記載のインターホンシステム。
【発明の詳細な説明】
【技術分野】
【０００１】
本発明はインターホンシステムに係り、特に、汎用ネットワークにより接続される居室親機を経由して玄関子機との間で通話を成立させるための音声信号を送受信するＩＰ電話を備えたインターホンシステムに関する。
【背景技術】
【０００２】
従来から、通話時に受信した音声信号中のＤＴＭＦ（Dual Tone Multi Frequency）音をデコードとして、その押しボタン番号を表示する機能を有する電話装置が開示されている（例えば、特許文献１を参照。）。
【０００３】
この電話装置として、デジタル信号により無線通信を行う携帯電話装置によれば、自機の押しボタンダイヤルの操作時にＤＴＭＦ音を鳴動させながらも、当該ＤＴＭＦ音の検出が一定時間停止するため、誤って自機で操作した押しボタンダイヤルの番号を表示してしまうことを確実に防止することができる一方、マイクロホン及びスピーカの使用により成立される通話音声中において、アンテナで電波が受信されると、この電波を信号処理したＤＴＭＦ音がスピーカから鳴動されるため、快適な通話の維持が困難となる虞があった。
【０００４】
この難点を解消するにあたっては、特願２００７−１７０２２４号のインターホンシステムが出願されている。
【０００５】
【特許文献１】特開平８―１０２７９８号公報（段落番号［００１７］乃至［００２５］等、第１図、第２図）
【発明の開示】
【発明が解決しようとする課題】
【０００６】
背景技術に記載した特開平８―１０２７９８号公報及び特願２００７−１７０２２４号のインターホンシステムによれば、通話の成立中において、通話音声とは異なる住戸内の周囲環境音が居室親機の親機マイクに入力され、玄関子機の子機スピーカから出力される虞があり、住戸内の周囲環境のプライバシーを確保することができない難点があった。
【０００７】
また、背景技術に記載した特願２００７−１７０２２４号のインターホンシステムによれば、汎用ネットワークを経由してＩＰ電話から伝送されてくるデータ信号の種類を居室親機にて判別し、判別されたデータ信号に対応して、ＩＰ電話との間で通話が成立中の玄関子機からの音出力の制御、玄関子機及びＩＰ電話間の通話路形成の制御をそれぞれ行うことができる。しかしながら、通話が成立中におけるハウリングの発生、すなわち、居室親機の親機スピーカから親機マイクに音響帰還される音声について玄関子機の子機スピーカからの出力を防止するための機能が何ら備えられておらず、ハウリングが発生する虞があった。また、ハウリングの発生を防止するにあたっては、既存の構成と別途の例えば、ハウリング防止回路を設ける必要があり、コスト（製造コスト）が増大となる難点があった。
【０００８】
本発明は、これらの難点を解消するためになされたもので、玄関子機と居室親機との間、玄関子機と居室親機、汎用ネットワークを経由してＩＰ電話との間でそれぞれ通話を成立させるにあたり、通話音声とは異なる住戸内の周囲環境音又はＩＰ電話の周囲環境音の玄関子機からの出力を防止するとともに、ハウリングの発生が防止された良好な通話音質を確保することができるインターホンシステムを提供することを目的としている。
【課題を解決するための手段】
【０００９】
前述の目的を達成するため、本発明の第１の態様であるインターホンシステムは、住戸外に設置され来訪者が住戸内に在室中の居住者を呼び出して通話を成立させるための音声信号を入出力する子機マイク及び子機スピーカを有する玄関子機と、住戸内に設置され玄関子機からの呼び出しに応答した居住者が来訪者との間で通話を成立させるための音声信号を入出力する親機マイク及び親機スピーカを有する居室親機とを設けたものである。居室親機には、親機マイクへの親機入力信号の特定の周波数のパワースペクトラムを演算するための送話演算部と、送話演算部の演算結果をもとに所定の閾値を超えた周波数スペクトラムを検知するための送話パワースペクトラム検知部と、送話パワースペクトラム検知部にて検知された周波数スペクトラムの本数に応じて、親機入力信号の種類が無音信号又は音声信号であることを判定するための送話信号判定部と、送話信号判定部にて無音信号が判定されたとき、居室親機の親機マイクに入力された親機入力信号の玄関子機の子機スピーカへの伝送を遮断するための通話路切替部とを備えている。
【００１０】
本発明の第２の態様であるインターホンシステムは、住戸外に設置され来訪者が住戸内に在室中の居住者を呼び出して通話を成立させるための音声信号を入出力する子機マイク及び子機スピーカを有する玄関子機と、住戸内に設置され玄関子機からの呼び出しに応答した居住者が来訪者との間で通話を成立させるための音声信号を入出力する親機マイク及び親機スピーカを有する居室親機と、汎用ネットワークにより接続される居室親機を経由して玄関子機との間で通話を成立させるための音声信号を送受信するＩＰ電話とを設けたものである。居室親機には、汎用ネットワークを経由してＩＰ電話から伝送されてくるデータ信号の特定の周波数のパワースペクトラムを演算するための送話演算部と、送話演算部の演算結果をもとに所定の閾値を超えた周波数スペクトラムを検知するための送話パワースペクトラム検知部と、送話パワースペクトラム検知部にて検知された周波数スペクトラムの本数に応じて、データ信号の種類が無音信号又は音声信号であることを判定するための送話信号判定部と、送話信号判定部にて無音信号が判定されたとき、ＩＰ電話にて入力されたデータ信号の汎用ネットワークを経由して玄関子機の子機スピーカへの伝送を遮断するための通話路切替部とを備えている。
【００１１】
また、本発明の第３の態様であるインターホンシステムは、本発明の第１の態様又は第２の態様において、居室親機には、玄関子機の子機マイクへの子機入力信号の特定の周波数のパワースペクトラムを演算するための受話演算部と、受話演算部の演算結果をもとに所定の閾値を超えた周波数スペクトラムを検知するための受話パワースペクトラム検知部と、受話パワースペクトラム検知部にて検知された周波数スペクトラムの本数に応じて、子機入力信号の種類が無音信号又は音声信号であることを判定するための受話信号判定部と、送話信号判定部にて音声信号が判定され、受話信号判定部にて無音信号が判定されたときには送話モードであると検出し、送話信号判定部にて無音信号が判定され、受話信号判定部にて音声信号が判定されたときには受話モードとあると検出するためのパワースペクトラムレベル比較部と、パワースペクトラムレベル比較部にて送話モードが検出されたとき、玄関子機の子機マイクに入力された音声信号の親機スピーカ又は汎用ネットワークを経由してＩＰ電話への伝送を遮断するための通話路切替部とを備えている。
【００１２】
また、本発明の第４の態様であるインターホンシステムは、本発明の第１の態様又は第２の態様において、居室親機には、玄関子機の子機マイクへの子機入力信号の特定の周波数のパワースペクトラムを演算するための受話演算部と、受話演算部の演算結果をもとに所定の閾値を超えた周波数スペクトラムを検知するための受話パワースペクトラム検知部と、受話パワースペクトラム検知部にて検知された周波数スペクトラムの本数に応じて、子機入力信号の種類が無音信号又は音声信号であることを判定するための受話信号判定部と、送話信号判定部及び受話信号判定部にてそれぞれ音声信号が判定されたときに送話パワースペクトラム検知部にて検知された送話周波数スペクトラムと受話パワースペクトラム検知部にて検知された受話周波数スペクトラムとを比較し、送話周波数スペクトラムのレベルが受話周波数スペクトラムのレベルよりも大きい場合には送話モード、送話周波数スペクトラムのレベルが受話周波数スペクトラムのレベルよりも小さい場合には受話モードであるとそれぞれ検出するためのパワースペクトラムレベル比較部と、パワースペクトラムレベル比較部にて送話モードが検出されたとき、玄関子機の子機マイクに入力された音声信号の親機スピーカ又は汎用ネットワークを経由してＩＰ電話への伝送を遮断するための通話路切替部とを備えている。
【００１３】
また、本発明の第５の態様であるインターホンシステムは、本発明の第３の態様又は第４の態様において、居室親機の送話演算部及び受話演算部にて行う演算処理、送話パワースペクトラム検知部及び受話パワースペクトラム検知部にて行う検知処理、送話信号判定部及び受話信号判定部にて行う判定処理はそれぞれ、時分割に分割させて処理されるものである。
【００１４】
また、本発明の第６の態様であるインターホンシステムは、本発明の第１の態様乃至第５の態様のうち何れか１の態様において、居室親機の送話演算部及び受話演算部はそれぞれ、ＧＯＥＲＴＺＥＬアルゴリズム演算部にて構成されるものである。
【００１５】
また、本発明の第７の態様であるインターホンシステムは、本発明の第１の態様乃至第６の態様のうち何れか１の態様において、居室親機の送話信号判定部及び受話信号判定部はそれぞれ、送話パワースペクトラム検知部及び受話パワースペクトラム検知部にて検知された周波数スペクトラムの本数をｎ（ここに、ｎは０及び正の整数。）とすると、ｎ＜２となる場合には子機入力信号、親機入力信号及びデータ信号が無音信号と判定し、ｎ＞２となる場合には子機入力信号、親機入力信号及びデータ信号が音声信号と判定するものである。
【発明の効果】
【００１６】
本発明のインターホンシステムによれば、居室親機の親機マイクに入力された親機入力信号又は汎用ネットワークを経由してＩＰ電話から当該居室親機に伝送されてくるデータ信号の特定の周波数のパワースペクトラムをＧＯＥＲＴＺＥＬアルゴリズム演算部によって構成される送話演算部にて演算し、送話演算部の演算結果をもとに所定の閾値を超えた周波数スペクトラムを送話パワースペクトラム検知部にて検知し、送話パワースペクトラム検知部にて検知された周波数スペクトラムの本数に応じて、親機入力信号及びデータ信号の種類がそれぞれ、無音信号又は音声信号であることを送話信号判定部にて判別することができる。また、居室親機のＣＰＵは、送話信号判定部にて無音信号が判別されたときには通話路切替部を制御して、居室親機の親機マイクから玄関子機の子機スピーカへの信号伝送ライン、又はＩＰ電話から汎用ネットワーク、居室親機を経由して玄関子機の子機スピーカへの信号伝送ラインを遮断することができる。
【００１７】
これにより、通話音声とは異なる住戸内の周囲環境音が居室親機の親機マイクに入力された場合、或いはＩＰ電話の周囲環境音が当該ＩＰ電話に入力された場合であっても、これらの周囲環境音が玄関子機の子機スピーカから出力されることはなく、住戸内の周囲環境のプライバシー、或いはＩＰ電話の周囲環境のプライバシーが確保される。
【００１８】
本発明のインターホンシステムによれば、居室親機の親機マイクに入力された親機入力信号又は汎用ネットワークを経由してＩＰ電話から当該居室親機に伝送されてくるデータ信号の特定の周波数のパワースペクトラムをＧＯＥＲＴＺＥＬアルゴリズム演算部によって構成される送話演算部にて演算し、送話演算部の演算結果をもとに所定の閾値を超えた周波数スペクトラムを送話パワースペクトラム検知部にて検知し、送話パワースペクトラム検知部にて検知された周波数スペクトラムの本数に応じて、親機入力信号及びデータ信号の種類がそれぞれ、無音信号又は音声信号であることを送話信号判定部にて判別することができるばかりでなく、玄関子機の子機マイクに入力された子機入力信号の特定の周波数のパワースペクトラムをＧＯＥＲＴＺＥＬアルゴリズム演算部によって構成される受話演算部にて演算し、受話演算部の演算結果をもとに所定の閾値を超えた周波数スペクトラムを受話パワースペクトラム検知部にて検知し、受話パワースペクトラム検知部にて検知された周波数スペクトラムの本数に応じて、子機入力信号の種類が無音信号又は音声信号であることを受話信号判定部にて判別することができる。また、居室親機のパワースペクトラム比較部は、送話信号判定部及び受話信号判定部における判定結果と送話パワースペクトラム検知部及び受話パワースペクトラム検知部にて検知される周波数スペクトラムの比較結果をもとに、送話モード又は受話モードを検出することができる。また、居室親機のＣＰＵは、送話モードの場合に通話路切替部を制御して、親機マイクから玄関子機の子機スピーカへの信号伝送ライン、又はＩＰ電話から汎用ネットワーク、居室親機を経由して玄関子機の子機スピーカへの信号伝送ラインを形成する一方、玄関子機の子機マイクから親機スピーカへの信号伝送ライン、又は玄関子機の子機マイクから居室親機、汎用ネットワークを経由してＩＰ電話への信号伝送ラインは遮断することができる。さらに、居室親機のＣＰＵは、受話モードの場合に通話路切替部を制御して、玄関子機の子機マイクから親機スピーカへの信号伝送ライン、又は玄関子機の子機マイクから居室親機、汎用ネットワークを経由してＩＰ電話への信号伝送ラインを形成する一方、親機マイクから玄関子機の子機スピーカへの信号伝送ライン、又はＩＰ電話から汎用ネットワーク、居室親機を経由して玄関子機の子機スピーカへの信号伝送ラインは遮断することができる。
【００１９】
これにより、通話音声とは異なる住戸内の周囲環境音が居室親機の親機マイクに入力された場合、或いはＩＰ電話の周囲環境音が当該ＩＰ電話に入力された場合であっても、これらの周囲環境音が玄関子機の子機スピーカから出力されることはなく、住戸内の周囲環境のプライバシー、或いはＩＰ電話の周囲環境のプライバシーが確保されるとともに、親機スピーカから親機マイクへの音響帰還によるハウリングの発生、ＩＰ電話において音響帰還によるハウリングの発生をそれぞれ防止でき、良好な通話音質が確保される。
【００２０】
本発明のインターホンシステムによれば、居室親機の送話演算部及び受話演算部にて行う演算処理、送話パワースペクトラム検知部及び受話パワースペクトラム検知部にて行う検知処理、送話信号判定部及び受話信号判定部にて行う判定処理はそれぞれ、所定の時間毎に時系列で区切って繰り返し行われることから、各動作に必要とされる構成部を単一で設けることができる。
【発明を実施するための最良の形態】
【００２１】
以下、本発明のインターホンシステムを適用した最良の実施の形態例について、図面を参照して説明する。
【００２２】
図１は、本発明の第１の実施例によるインターホンシステムの具体的な構成を示すブロック図である。このインターホンシステムには、住戸外に設置され来訪者が住戸内に在室中の居住者を呼び出して通話を成立させるための玄関子機１と、住戸内に設置され、伝送路Ｌ1を経由して接続される玄関子機１からの呼び出しに応答した居住者が来訪者との間で通話を成立させるための居室親機２ａと、電話回線、ＩＳＤＮ、ＡＤＳＬ、光ケーブル等の各種の通信手段から構成される汎用ネットワーク３と、汎用ネットワーク３により接続される居室親機２ａを経由して玄関子機１との間で通話を成立させるためのＩＰ電話４とが設けられている。
【００２３】
玄関子機１には、子機操作部１００、カメラ１０１、子機映像処理部１０２、子機マイク１０３、子機スピーカ１０４、子機通話部１０５及び子機Ｉ／Ｆ（インターフェース）１０６が備えられている。
【００２４】
この玄関子機１において、子機操作部１００は、来訪者が居住者を呼び出すために操作するものであり、例えば、呼出ボタンにて構成されている。
【００２５】
カメラ１０１は、呼出操作を行った来訪者の映像や住戸外の周囲近傍の映像（監視映像）を撮像するためのものであり、例えば、ＣＣＤ、ＣＭＯＳ等の各種の撮像媒体にて構成されている。また、子機映像処理部１０２は、カメラ１０１にて撮像された映像である電気信号の映像信号を信号処理する例えば、ＦＭ変調、増幅等を行うためのものである。
【００２６】
子機マイク１０３及び子機スピーカ１０４は、（居室親機２ａの利用者である）居住者又はＩＰ電話４の利用者との間において、来訪者が通話を成立させるための音声（送話音声、受話音声）を入出力するものである。また、子機通話部１０５は、子機マイク１０３及び子機スピーカ１０４にて入出力される音声（送話音声、受話音声）である電気信号の音声信号を信号処理する例えば、４線／２線変換又は２線／４線変換、増幅等を行うとともに、子機スピーカ１０４に送出される無音信号を信号処理する例えば、２線／４線変換を行うためのものである。
【００２７】
子機Ｉ／Ｆ１０６は、子機操作部１００から伝送路Ｌ1への信号伝送ラインと、子機映像処理部１０２から伝送路Ｌ1への信号伝送ラインと、子機通話部１０５及び伝送路Ｌ1の間の信号伝送ラインとをそれぞれ形成するためのものである。
【００２８】
また、居室親機２ａには、親機モニタ２００、親機映像処理部２０１、親機マイク２０２、親機スピーカ２０３、親機通話部２０４、コーデック部２０５、通話路切替部２０６、親機操作部２０７、送話演算部２０８、送話パワースペクトラム検知部２０９、送話信号判定部２１０、ＣＰＵ２１１、子機側親機Ｉ／Ｆ２１２及びネットワーク側親機Ｉ／Ｆ２１３が備えられている。
【００２９】
この居室親機２ａにおいて、親機モニタ２００は、ＣＰＵ２１１により出画状態に制御され、来訪者による玄関子機１からの呼び出しがあることを示す呼出表示と、玄関子機１のカメラ１０１にて撮像された映像を出画するための映像出画とをそれぞれ行うものであり、例えば、ＬＣＤ、ＰＤＰ、ＳＥＤ、有機ＥＬディスプレイ等の各種の出画表示媒体にて構成されている。また、親機映像処理部２０１は、ＣＰＵ２１１により制御され、伝送路Ｌ1を経由して玄関子機１から伝送されてくる映像信号を信号処理する例えば、ＦＭ復調、増幅等を行い、玄関子機１のカメラ１０１にて撮像された映像を親機モニタ２００に出画させるためのものである。
【００３０】
親機マイク２０２及び親機スピーカ２０３は、居住者が来訪者との間で通話を成立させるための音声（送話音声、受話音声）を入出力するものであり、親機スピーカ２０３は、前述の通話機能のみならず来訪者による玄関子機１からの呼び出しがあることを示す呼出報知を行うことができる。また、親機通話部２０４は、ＣＰＵ２１１により制御され、親機マイク２０２及び親機スピーカ２０３にて入出力される音声（送話音声、受話音声）である電気信号の音声信号を信号処理する例えば、４線／２線変換又は２線／４線変換、増幅等を行うとともに、後述するコーデック部２０５に送出される伝送路Ｌ1を経由して玄関子機１から伝送されてくる音声信号を信号処理する例えば、２線／４線変換、増幅等を行い、さらには、汎用ネットワーク３からＩＰ電話４を経由して伝送され、後述するコーデック部２０５にてＤ／Ａ（デジタル／アナログ）変換された音声信号を信号処理する例えば、４線／２線変換、増幅等を行うためのものである。
【００３１】
コーデック部２０５は、ＣＰＵ２１１により制御され、親機マイク２０２に入力された音声信号をＡ／Ｄ（アナログ／デジタル）変換して送話演算部２０８に送出するとともに、親機通話部２０４を経由して伝送されてくる玄関子機１からの音声信号をＡ／Ｄ変換してネットワーク側親機Ｉ／Ｆ２１３に送出し、さらには、ネットワーク側親機Ｉ／Ｆ２１３を経由して伝送されてくるＩＰ電話４からの音声信号をＤ／Ａ変換して親機通話部２０４に送出するためのものである。
【００３２】
通話路切替部２０６は、ＣＰＵ２１１により切り替えられ、親機マイク２０２から親機通話部２０４への信号伝送ラインと、コーデック部２０５から親機通話部２０４への信号伝送ラインとをそれぞれ、形成又は遮断するためのものである。
【００３３】
親機操作部２０７は、ＣＰＵ２１１により操作検出され、来訪者による玄関子機１からの呼び出しがあることを確認した居住者が応答し、親機マイク２０２及び親機スピーカ２０３の使用による通話を成立させるための応答操作、又は成立中の通話を終了するための終話操作、来訪者による玄関子機１からの呼び出しがあることをＩＰ電話４に転送するための呼出転送操作等を行うものであり、例えば、通話ボタン、転送ボタン等にて構成されている。この親機操作部２０７としては、居室親機２ａの筐体面（図示せず。）に設けられる押圧ボタンや親機モニタ２００の前面に設けられるタッチパネル（図示せず。）等が好適とされる。
【００３４】
送話演算部２０８は、ＣＰＵ２１１により制御され、親機マイク２０２に入力される親機入力信号、又は汎用ネットワーク３を経由してＩＰ電話４から伝送されてくるデータ信号の特定の周波数のパワースペクトラムを演算するためのものであり、例えば、ＧＯＥＲＴＺＥＬアルゴリズム演算部にて構成されている。また、送話パワースペクトラム演算部２０９は、ＣＰＵ２１１により制御され、送話演算部２０８の演算結果をもとに所定の閾値を超えた周波数スペクトラム（送話周波数スペクトラム）を検知するためのものである。また、送話信号判定部２１０は、ＣＰＵ２１１により制御され、送話パワースペクトラム検知部２０９にて検知された周波数スペクトラムの本数に応じて、親機入力信号及びデータ信号の種類がそれぞれ、無音信号又は音声信号であることを判別するためのものであり、この判別結果は、ＣＰＵ２１１に送出される。
【００３５】
ＣＰＵ２１１は、居室親機２ａの構成各部を制御するためのものである。具体的な制御としては、送話信号判定部２１０の判定結果をもとに親機通話部２０４、コーデック部２０５及び通話路切替部２０６をそれぞれ制御し、親機マイク２０２から玄関子機１の子機スピーカ１０４から親機スピーカ２０３への信号伝送ラインと、ＩＰ電話４から汎用ネットワーク３、居室親機２ａを経由して玄関子機１（の子機スピーカ１０４）への信号伝送ラインとをそれぞれ、形成又は遮断することができる。
【００３６】
子機側親機Ｉ／Ｆ２１２は、伝送路Ｌ1から親機映像処理部２０１への信号伝送ラインと、伝送路Ｌ1及び親機通話部２０４間の信号伝送ラインと、ＣＰＵ２１１及び伝送路Ｌ1の間の信号伝送ラインとをそれぞれ形成するためのものである。また、ネットワーク側親機Ｉ／Ｆ２１３は、コーデック部２０５及び汎用ネットワーク３の間の信号伝送ラインと、汎用ネットワーク３から送話演算部２０８への信号伝送ラインと、ＣＰＵ２１１及び汎用ネットワーク３の間の信号伝送ラインとをそれぞれ形成するためのものである。
【００３７】
さらに、ＩＰ電話４には、電話モニタ４００、電話マイク４０１、電話スピーカ４０２及び電話操作部４０３が備えられている。
【００３８】
このＩＰ電話４において、電話モニタ４００は、来訪者による玄関子機１からの呼び出しがあることを示す呼出表示と、玄関子機１のカメラ１０１にて撮像された映像を出画するための映像出画とをそれぞれ行うものであり、例えば、ＬＣＤ、ＰＤＰ、ＳＥＤ、有機ＥＬディスプレイ等の各種の出画表示媒体にて構成されている。
【００３９】
電話マイク４０１及び電話スピーカ４０２は、ＩＰ電話４の利用者が来訪者との間で通話を成立させるための音声（送話音声、受話音声）を入出力するものであり、電話スピーカ４０２は、前述の通話機能のみならず来訪者による玄関子機１からの呼び出しがあることを示す呼出報知を行うことができる。
【００４０】
電話操作部４０３は、来訪者による玄関子機１からの呼び出しがあることを確認したＩＰ電話４の利用者が応答し、電話マイク４０１及び電話スピーカ４０２の使用による通話を成立させるための応答操作、又は成立中の通話を終了するための終話操作等を行うものであり、例えば、通話ボタン、テンキーボタン等にて構成されている。この電話操作部４０３としては、ＩＰ電話４の操作面に設けられる押圧ボタンや電話モニタ４００の前面に設けられるタッチパネルが好適とされる。
【００４１】
このように構成された本発明の第１の実施例によるインターホンシステムにおいて、以下、具体的な動作について、図１、図３（ａ）、（ｂ）、（ｃ）、（ｄ）、図４（ａ）、（ｂ）、（ｃ）、（ｄ）をそれぞれ参照して説明する。なお、図３（ａ）は、居室親機２ａの親機マイク２０２に入力される親機入力信号の一例を示す説明図である。また、図３（ｂ）、（ｃ）、（ｄ）はそれぞれ、親機入力信号の種類毎の信号処理の一例を示す説明図である。また、図４（ａ）は、ＩＰ電話４の電話マイク４０１に入力されるデータ信号の一例を示す説明図である。さらに、図４（ｂ）、（ｃ）、（ｄ）はそれぞれ、データ信号の種類毎の信号処理の一例を示す説明図である。
【００４２】
図１に示すインターホンシステムおいて、居室親機２ａが設置された住戸内に在室中の居住者を呼び出すために、住戸外に居る来訪者が玄関子機１の子機操作部１００を使用して所定の呼出操作を行うと、この子機操作部１００にて生成された呼出信号が、子機Ｉ／Ｆ１０６、伝送路Ｌ1、居室親機２ａの子機側親機Ｉ／Ｆ２１２を経由してＣＰＵ２１１に伝送されるとともに、カメラ１０１及び子機映像処理部１０２がそれぞれ能動となる。また、カメラ１０１は、呼出操作を行った来訪者の映像（住戸外の周囲近傍の映像を含む。）の撮像を開始する。この映像は、電気信号の映像信号に信号処理され、子機映像処理部１０２にて例えば、ＦＭ変調、増幅等された後、子機Ｉ／Ｆ１０６、伝送路Ｌ1、居室親機２ａの子機側親機Ｉ／Ｆ２１２を経由して親機映像処理部２０１に伝送される。
【００４３】
居室親機２ａのＣＰＵ２１１は、伝送路Ｌ1を経由して玄関子機１から伝送されてきた呼出信号を受信すると、来訪者による玄関子機１からの呼び出しがある旨の呼出音や音声メッセージ等を親機スピーカ２０３から出力させるとともに、親機モニタ２００及び親機映像処理部２０１がそれぞれ能動となるように制御する。この制御により、親機モニタ２００には、親機映像処理部２０１にて例えば、ＦＭ復調、増幅等された映像信号、すなわち、玄関子機１のカメラ１０１にて撮像された来訪者の映像（住戸外の周囲近傍の映像を含む。）が出画される。また、ＣＰＵ２１１は、前述の呼出報知及び映像出画の各動作と同時に、親機操作部２０７の使用による呼出転送のための所定の設定操作が予め行われていた場合、伝送路Ｌ1を経由して玄関子機１から伝送されてきた呼出信号及び映像信号をそれぞれ、ネットワーク側親機Ｉ／Ｆ２１３、汎用ネットワーク３を経由してＩＰ電話４に転送する。
【００４４】
ＩＰ電話４は、汎用ネットワーク３を経由して居室親機２ａから転送されてきた呼出信号を受信すると、来訪者による玄関子機１からの呼び出しがある旨の呼出音や音声メッセージ等を電話スピーカ４０２から出力させるとともに、同様に受信された映像信号をもとに、玄関子機１のカメラ１０１にて撮像された来訪者の映像（住戸外の周囲近傍の映像を含む。）を電話モニタ４００に出画する。
【００４５】
なお、居室親機２の親機モニタ２００及びＩＰ電話４の電話モニタ４００にはそれぞれ、玄関子機１のカメラ１０１にて撮像された来訪者の映像（住戸外の周囲近傍の映像を含む。）の出画のみならず、来訪者による玄関子機１からの呼び出しがある旨の呼出メッセージや絵データ等を表示させることもできる。
【００４６】
この後、来訪者による玄関子機１からの呼び出しがあることを、来訪者の判別と併せて確認できた居住者及びＩＰ電話４の利用者のうち、最先に応答した人物、ここでは、居住者が居室親機２ａの親機操作部２０７を使用して所定の応答操作を行うと、この操作を検出したＣＰＵ２１１は、親機通話部２０４、コーデック部２０５、送話演算部２０８、送話パワースペクトラム検知部２０９及び送話信号判定部２１０と玄関子機１の子機通話部１０５とがそれぞれ能動となるように制御する。
【００４７】
ここで、居室親機２ａの送話演算部２０８は、親機マイク２０２に入力された後、コーデック部２０５を経由してＡ／Ｄ変換された親機入力信号を所定の時間Ｔ1a、Ｔ1b、Ｔ1c毎、例えば、図３（ａ）に示す２０ｍｓ毎に時系列で区切り、特定の周波数、例えば、図３（ｂ）、（ｃ）、（ｄ）にそれぞれ示す６９７Ｈｚ〜１６３３Ｈｚの間のパワースペクトラムを演算する。また、送話パワースペクトラム検知部２０９は、送話演算部２０８の演算結果をもとに、図３（ｂ）、（ｃ）、（ｄ）にそれぞれ示す所定の閾値を超えた周波数スペクトラムを検知する。
【００４８】
居室親機２ａの送話信号判定部２１０は、送話パワースペクトラム検知部２０９の検知結果をもとに、所定の閾値を超えた周波数スペクトラムの本数ｎ（ここに、ｎは０及び正の整数。）を確認する。ここでは、時間Ｔ1aにおける周波数スペクトラムの本数ｎが図３（ｂ）に示すように「４本」、時間Ｔ1bにおける周波数スペクトラムの本数ｎが図３（ｃ）に示すように「８本」、時間Ｔ1cにおける周波数スペクトラムの本数ｎが図３（ｄ）に示すように「０本」であることをそれぞれ確認する。また、送話信号判定部２１０は、時間Ｔ1a、Ｔ1b、Ｔ1cの各時間における周波数スペクトラムの本数ｎをもとに、この本数ｎがｎ＞２、ｎ＜２となる２つの異なる態様に対応させて、時間Ｔ1a、Ｔ1bの各時間における親機入力信号が居住者の音声による音声信号であり、時間Ｔ1cにおける親機入力信号が無音信号、例えば、住戸内の周囲環境音であることをそれぞれ判別し、その旨の信号判別情報をＣＰＵ２１１に送出する。
【００４９】
ここで、居室親機２ａのＣＰＵ２１１は、親機マイク２０２に入力された親機入力信号が音声信号であるとの信号判別情報を受信すると、図３（ａ）に示す時間Ｔ1a、Ｔ1bの各時間内において通話路切替部２０６を制御し、親機マイク２０２から親機通話部２０４への信号伝送ラインを形成する。この制御により、居室親機２ａの親機マイク２０２に入力された親機入力信号である音声信号は、親機通話部２０４、子機側親機Ｉ／Ｆ２１２、伝送路Ｌ1、玄関子機１の子機Ｉ／Ｆ１０６、子機通話部１０５を経由して子機スピーカ１０４に伝送され、居住者の音声として子機スピーカ１０４から出力される。一方、玄関子機１の子機マイク１０３に入力された子機入力信号である音声信号は、子機通話部１０５、子機Ｉ／Ｆ１０６、伝送路Ｌ1、居室親機２ａの子機側親機Ｉ／Ｆ２１２、親機通話部２０４を経由して親機スピーカ２０３に伝送され、親機スピーカ２０３から来訪者の音声として出力されることにより、居住者及び来訪者の間で通話が成立する。
【００５０】
また、居室親機２ａのＣＰＵ２１１は、親機マイク２０２に入力された親機入力信号が無音信号であるとの信号判別情報を受信すると、図３（ａ）に示す時間Ｔ1cの時間内において通話路切替部２０６を制御し、親機マイク２０２から親機通話部２０４への信号伝送ラインを遮断する。この制御により、居室親機２ａの親機マイク２０２に入力された親機入力信号である例えば、無音信号と判定された住戸内の周囲環境音は、伝送路Ｌ1を経由して玄関子機１に伝送されることはなく、ゆえに、住戸内の周囲環境音が子機スピーカ１０４から出力されないため、通話の成立中における住戸内の周囲環境のプライバシーを確保することができる。一方、玄関子機１の子機マイク１０３に入力された子機入力信号である音声信号は、子機通話部１０５、子機Ｉ／Ｆ１０６、伝送路Ｌ1、居室親機２ａの子機側親機Ｉ／Ｆ２１２、親機通話部２０４を経由して親機スピーカ２０３に伝送され、親機スピーカ２０３から来訪者の音声として出力されることになる。
【００５１】
次に、来訪者による玄関子機１からの呼び出しがあることを、来訪者の判別を併せて確認できた居住者及びＩＰ電話４の利用者のうち、最先に応答した人物、ここでは、ＩＰ電話４の利用者が電話操作部４０３を使用して所定の応答操作を行うと、この操作を検出したＩＰ電話４は、電話マイク４０１及び電話スピーカ４０２の使用による通話機能を能動にする。また、居室親機２ａのＣＰＵ２１１は、ＩＰ電話４から汎用ネットワーク３、ネットワーク側親機Ｉ／Ｆ２１３を経由して伝送されてくる制御信号（詳述せず。）をもとに、ＩＰ電話４の利用者による応答操作を検出し、親機通話部２０４、コーデック部２０５、送話演算部２０８、送話パワースペクトラム検知部２０９及び送話信号判定部２１０と玄関子機１の子機通話部１０５とがそれぞれ能動となるように制御する。
【００５２】
ここで、居室親機２ａの送話演算部２０８は、ＩＰ電話４の電話マイク４０１に入力された後、汎用ネットワーク３、ネットワーク側親機Ｉ／Ｆ２１３を経由して伝送されてきたデータ信号を所定の時間Ｔ2a、Ｔ2b、Ｔ2c毎、例えば、図４（ａ）に示す２０ｍｓ毎に時系列で区切り、特定の周波数、例えば、図４（ｂ）、（ｃ）、（ｄ）にそれぞれ示す６９７Ｈｚ〜１６３３Ｈｚの間のパワースペクトラムを演算する。また、送話パワースペクトラム検知部２０９は、送話演算部２０８の演算結果をもとに、図４（ｂ）、（ｃ）、（ｄ）にそれぞれ示す所定の閾値を超えた周波数スペクトラムを検知する。
【００５３】
居室親機２ａの送話信号判定部２１０は、送話パワースペクトラム検知部２０９の検知結果をもとに、所定の閾値を超えた周波数スペクトラムの本数ｎ（ここに、ｎは０及び正の整数。）を確認する。ここでは、時間Ｔ2aにおける周波数スペクトラムの本数ｎが図４（ｂ）に示すように「０本」、時間Ｔ2bにおける周波数スペクトラムの本数ｎが図４（ｃ）に示すように「５本」、時間Ｔ2cにおける周波数スペクトラムの本数ｎが図４（ｄ）に示すように「３本」であることをそれぞれ確認する。また、送話信号判定部２１０は、時間Ｔ2a、Ｔ2b、Ｔ2cの各時間における周波数スペクトラムの本数ｎをもとに、この本数ｎがｎ＞２、ｎ＜２となる２つの異なる態様に対応させて、時間Ｔ2aにおけるデータ信号が無音信号、例えば、ＩＰ電話４の周囲環境音であり、時間Ｔ2b、Ｔ2cの各時間におけるデータ信号がＩＰ電話４の利用者の音声による音声信号であることをそれぞれ判別し、その旨の信号判別情報をＣＰＵ２１１に送出する。
【００５４】
ここで、居室親機２ａのＣＰＵ２１１は、ＩＰ電話４の電話マイク４０２に入力されたデータ信号が音声信号であるとの信号判別情報を受信すると、図４（ａ）に示す時間Ｔ2b、Ｔ2cの各時間内において通話路切替部２０６を制御し、コーデック部２０５から親機通話部２０４への信号伝送ラインを形成する。この制御により、ＩＰ電話４の電話マイク４０２に入力されたデータ信号である音声信号は、汎用ネットワーク３、居室親機２ａのネットワーク側親機Ｉ／Ｆ２１３、コーデック部２０５、親機通話部２０４、子機側親機Ｉ／Ｆ２１２、伝送路Ｌ1、玄関子機１の子機Ｉ／Ｆ１０６、子機通話部１０５を経由して子機スピーカ１０４に伝送され、ＩＰ電話４の利用者の音声として子機スピーカ１０４から出力される。一方、玄関子機１の子機マイク１０３に入力された子機入力信号である音声信号は、子機通話部１０５、子機Ｉ／Ｆ１０６、伝送路Ｌ1、居室親機２ａの子機側親機Ｉ／Ｆ２１２、親機通話部２０４、コーデック部２０５、ネットワーク側親機Ｉ／Ｆ２１３、汎用ネットワーク３を経由してＩＰ電話４に伝送され、電話スピーカ４０２から来訪者の音声として出力されることにより、ＩＰ電話４の利用者及び来訪者の間で通話が成立する。
【００５５】
また、居室親機２ａのＣＰＵ２１１は、ＩＰ電話４の電話マイク４０１に入力されたデータ信号が無音信号であるとの信号判別情報を受信すると、図４（ａ）に示す時間Ｔ2aの時間内において通話路切替部２０６を制御し、コーデック部２０５から親機通話部２０４への信号伝送ラインを遮断する。この制御により、ＩＰ電話４の電話マイク４０１に入力されたデータ信号である例えば、無音信号と判定されたＩＰ電話４の周囲環境音は、汎用ネットワーク３、居室親機２ａ、伝送路Ｌ1を経由して玄関子機１に伝送されることはなく、ゆえに、ＩＰ電話４の周囲環境音が玄関子機１の子機スピーカ１０４から出力されないため、通話の成立中におけるＩＰ電話４の周囲環境のプライバシーを確保することができる。一方、玄関子機１の子機マイク１０３に入力された子機入力信号である音声信号は、子機通話部１０５、子機Ｉ／Ｆ１０６、伝送路Ｌ1、居室親機２ａの子機側親機Ｉ／Ｆ２１２、親機通話部２０４、コーデック部２０５、ネットワーク側親機Ｉ／Ｆ２１３、汎用ネットワーク３を経由してＩＰ電話４に伝送され、電話スピーカ４０２から来訪者の音声として出力されることになる。
【００５６】
次に、前述の第１の実施例と同様な効果、すなわち、玄関子機１と居室親機２ａとの間、玄関子機１と居室親機２ａ、汎用ネットワーク３を経由してＩＰ電話４との間でそれぞれ通話を成立させるにあたり、通話音声とは異なる住戸内の周囲環境音が親機マイク２０２に入力された場合、或いはＩＰ電話４の周囲環境音が電話マイク４０１に入力された場合であっても、これら周囲環境音が玄関子機１の子機スピーカ１０４から出力されることはなく、住戸内の周囲環境のプライバシー、或いはＩＰ電話の周囲環境のプライバシーが確保される効果のみならず、ハウリングの発生が防止された良好な通話音質を確保することができるインターホンシステムについて、以下、本発明の第２の実施例によるインターホン装置として、具体的な構成を示す図２のブロック図を参照して説明する。なお、第２の実施例において、前述の第１の実施例と同様な作用・機能を有する構成部については同一の符号・名称を付与するものとし、説明は省略するものとする。
【００５７】
図２に示すインターホンシステムには、住戸外に設置され来訪者が住戸内に在室中の居住者を呼び出して通話を成立させるための玄関子機１と、住戸内に設置され、伝送路Ｌ1を経由して接続される玄関子機１からの呼び出しに応答した居住者が来訪者との間で通話を成立させるための居室親機２ｂと、電話回線、ＩＳＤＮ、ＡＤＳＬ、光ケーブル等の各種の通信手段から構成される汎用ネットワーク３と、汎用ネットワーク３により接続される居室親機２ｂを経由して玄関子機１との間で通話を成立させるためのＩＰ電話４とが設けられている。
【００５８】
居室親機２ｂには、親機モニタ２００、親機映像処理部２０１、親機マイク２０２、親機スピーカ２０３、親機通話部２０４、親機操作部２０７、送話演算部２０８、送話パワースペクトラム検知部２０９、送話信号判定部２１０、子機側親機Ｉ／Ｆ２１２、コーデック部２１４、通話路切替部２１５、受話演算部２１６、受話パワースペクトラム検知部２１７、受話信号判定部２１８、パワースペクトラム比較部２１９、ＣＰＵ２２０及びネットワーク側親機Ｉ／Ｆ２２１が備えられている。
【００５９】
この居室親機２ｂにおいて、コーデック部２１４は、ＣＰＵ２２０により制御され、親機マイク２０２に入力された音声信号をＡ／Ｄ変換して送話演算部２０８に送出するとともに、親機通話部２０４を経由して伝送されてくる玄関子機１からの音声信号をＡ／Ｄ変換して受話演算部２１６及びネットワーク側親機Ｉ／Ｆ２２１にそれぞれ送出し、さらには、ネットワーク側親機Ｉ／Ｆ２１３を経由して伝送されてくるＩＰ電話４からの音声信号をＤ／Ａ変換して親機通話部２０４に送出するためのものである。
【００６０】
通話路切替部２１５は、ＣＰＵ２２０により切り替えられ、親機マイク２０２及びコーデック部２１４から親機通話部２０４への送話モードにおけるそれぞれの信号伝送ラインを形成又は遮断するとともに、親機通話部２０４から親機スピーカ２０３及びコーデック部２１４への受話モードにおけるそれぞれの信号伝送ラインを形成又は遮断するためのものである。
【００６１】
受話演算部２１６は、ＣＰＵ２２０により制御され、玄関子機１の子機マイク１０３に入力される子機入力信号の特定の周波数のパワースペクトラムを演算するためのものであり、例えば、ＧＯＥＲＴＺＥＬアルゴリズム演算部にて構成されている。また、受話パワースペクトラム演算部２１７は、ＣＰＵ２２０により制御され、受話演算部２１６の演算結果をもとに所定の閾値を超えた周波数スペクトラム（受話周波数スペクトラム）を検知するためのものである。また、受話信号判定部２１８は、ＣＰＵ２２０により制御され、受話パワースペクトラム検知部２１７にて検知された周波数スペクトラムの本数に応じて、子機入力信号の種類が無音信号又は音声信号であることを判別するためのものであり、この判別結果は、パワースペクトワム比較部２１９に送出される。
【００６２】
パワースペクトラム比較部２１９は、送話信号判定部２１０にて音声信号が判定され、受話信号判定部２１８にて無音信号が判定されたときには送話モードであると検出し、送話信号判定部２１０にて無音信号が判定され、受話信号判定部２１８にて音声信号が判定されたときには受話モードとあると検出するとともに、送話信号判定部２１０及び受話信号判定部２１８にてそれぞれ音声信号が判定されたときに送話パワースペクトラム検知部２０９にて検知された送話周波数スペクトラムと受話パワースペクトラム検知部２１８にて検知された受話周波数スペクトラムとを比較し、送話周波数スペクトラムのレベルが受話周波数スペクトラムのレベルよりも大きい場合には送話モード、送話周波数スペクトラムのレベルが受話周波数スペクトラムのレベルよりも小さい場合には受話モードであるとそれぞれ検出するためのものであり、この比較・検出結果は、ＣＰＵ２２０に送出される。
【００６３】
ＣＰＵ２２０は、居室親機２ｂの構成各部を制御するためのものである。具体的な制御としては、パワースペクトラム比較部２１９の比較・検出結果をもとに親機通話部２０４、コーデック部２１４及び通話路切替部２１５をそれぞれ制御し、親機マイク２０２に入力された音声信号又はＩＰ電話４の電話マイク４０１に入力された音声信号の玄関子機１の子機スピーカ１０４への信号伝送ラインを形成又は遮断するとともに、玄関子機１の子機マイク１０３に入力された音声信号の親機スピーカ２０３又はＩＰ電話４の電話スピーカ４０２への信号伝送ラインを形成又は遮断することができる。
【００６４】
ネットワーク側親機Ｉ／Ｆ２２１は、コーデック部２１４及び汎用ネットワーク３の間の信号伝送ラインと、汎用ネットワーク３から送話演算部２０８への信号伝送ラインと、ＣＰＵ２２０及び汎用ネットワーク３の間の信号伝送ラインとをそれぞれ形成するためのものである。
【００６５】
このように構成された本発明の第２の実施例によるインターホンシステムにおいて、以下、具体的な動作について、図２、前述の図３（ａ）、（ｂ）、（ｃ）、（ｄ）及び図４（ａ）、（ｂ）、（ｃ）、（ｄ）、図５（ａ）、（ｂ）、（ｃ）、（ｄ）をそれぞれ参照して説明する。なお、図５（ａ）は、玄関子機１の子機マイク１０３に入力される子機入力信号の一例を示す説明図である。また、図５（ｂ）、（ｃ）、（ｄ）はそれぞれ、子機入力信号の種類毎の信号処理の一例を示す説明図である。
【００６６】
なお、図２に示すインターホンシステムおいて、居室親機２ｂが設置された住戸内に在室中の居住者を呼び出すために、住戸外に居る来訪者が玄関子機１の子機操作部１００を使用して所定の呼出操作を行い、この呼び出しを居室親機２ｂの親機モニタ２００及び親機スピーカ２０３を使用して呼出報知する動作と、同様の呼び出しをＩＰ電話４の電話モニタ４００及び電話スピーカ４０２を使用して呼出報知する動作とはそれぞれ、第１の実施例における該当動作と同一であるため、その説明は省略するものとする。
【００６７】
図２に示すインターホンシステムおいて、来訪者による玄関子機１からの呼び出しがあることを、来訪者の判別と併せて確認できた居住者及びＩＰ電話４の利用者のうち、最先に応答した人物、ここでは、居住者が居室親機２ｂの親機操作部２０７を使用して所定の応答操作を行うと、この操作を検出したＣＰＵ２２０は、親機通話部２０４、送話演算部２０８、送話パワースペクトラム検知部２０９、送話信号判定部２１０、コーデック部２１４、受話演算部２１６、受話パワースペクトラム検知部２１７、受話信号判定部２１８及びパワースペクトラム比較部２１９と玄関子機１の子機通話部１０５とがそれぞれ能動となるように制御する。
【００６８】
ここで、居室親機２ｂの送話演算部２０８は、前述の第１の実施例と同様、親機マイク２０２に入力された後、コーデック部２１４を経由してＡ／Ｄ変換された親機入力信号を所定の時間Ｔ1a、Ｔ1b、Ｔ1c毎、例えば、図３（ａ）に示す２０ｍｓ毎に時系列で区切り、特定の周波数、例えば、図３（ｂ）、（ｃ）、（ｄ）にそれぞれ示す６９７Ｈｚ〜１６３３Ｈｚの間のパワースペクトラムを演算する。また、送話パワースペクトラム検知部２０９は、送話演算部２０８の演算結果をもとに、前述の第１の実施例と同様、図３（ｂ）、（ｃ）、（ｄ）にそれぞれ示す所定の閾値を超えた周波数スペクトラムを検知する。
【００６９】
居室親機２ｂの送話信号判定部２１０は、送話パワースペクトラム検知部２０９の検知結果をもとに、前述の第１の実施例と同様、所定の閾値を超えた周波数スペクトラム（送話周波数スペクトラム）の本数ｎ（ここに、ｎは０及び正の整数。）を確認する。ここでは、時間Ｔ1aにおける周波数スペクトラムの本数ｎが図３（ｂ）に示すように「４本」、時間Ｔ1bにおける周波数スペクトラムの本数ｎが図３（ｃ）に示すように「８本」、時間Ｔ1cにおける周波数スペクトラムの本数ｎが図３（ｄ）に示すように「０本」であることをそれぞれ確認する。また、送話信号判定部２１０は、時間Ｔ1a、Ｔ1b、Ｔ1cの各時間における周波数スペクトラムの本数ｎをもとに、この本数ｎがｎ＞２、ｎ＜２となる２つの異なる態様に対応させて、前述の第１の実施例と同様、時間Ｔ1a、Ｔ1bの各時間における親機入力信号が居住者の音声による音声信号、時間Ｔ1cにおける親機入力信号が無音信号、例えば、住戸内の周囲環境音であることをそれぞれ判別し、その旨の信号判別情報をパワースペクトラム比較部２１９に送出する。
【００７０】
一方、居室親機２ｂの受話演算部２１６は、玄関子機１の子機マイク１０３に入力された後、子機通話部１０５、子機Ｉ／Ｆ１０６、伝送路Ｌ1、子機側親機Ｉ／Ｆ２１２、コーデック部２１４を経由してＡ／Ｄ変換された子機入力信号を所定の時間Ｔ1a、Ｔ1b、Ｔ1c毎、例えば、図５（ａ）に示す２０ｍｓ毎に時系列で区切り、特定の周波数、例えば、図５（ｂ）、（ｃ）、（ｄ）にそれぞれ示す６９７Ｈｚ〜１６３３Ｈｚの間のパワースペクトラムを演算する。また、受話パワースペクトラム検知部２１７は、受話演算部２１６の演算結果をもとに、図５（ｂ）、（ｃ）、（ｄ）にそれぞれ示す所定の閾値を超えた周波数スペクトラムを検知する。
【００７１】
居室親機２ｂの受話信号判定部２１８は、受話パワースペクトラム検知部２１７の検知結果をもとに、所定の閾値を超えた周波数スペクトラム（受話周波数スペクトラム）の本数ｎ（ここに、ｎは０及び正の整数。）を確認する。ここでは、時間Ｔ1aにおける周波数スペクトラムの本数ｎが図５（ｂ）に示すように「５本」、時間Ｔ1bにおける周波数スペクトラムの本数ｎが図５（ｃ）に示すように「１本」、時間Ｔ1cにおける周波数スペクトラムの本数ｎが図５（ｄ）に示すように「７本」であることをそれぞれ確認する。また、受話信号判定部２１８は、時間Ｔ1a、Ｔ1b、Ｔ1cの各時間における周波数スペクトラムの本数ｎをもとに、この本数ｎがｎ＞２、ｎ＜２となる２つの異なる態様に対応させて、時間Ｔ1a、Ｔ1cの各時間における子機入力信号が来訪者の音声による音声信号、時間Ｔ1bにおける子機入力信号が無音信号、例えば、住戸外の周囲環境音であることをそれぞれ判別し、その旨の信号判別情報をパワースペクトラム比較部２１９に送出する。
【００７２】
居室親機２ｂのパワースペクトラム比較部２１９は、図３（ａ）、図５（ａ）にそれぞれ示す時間Ｔ1aにおいて送話信号判定部２１０及び受話信号判定部２１８にてそれぞれ、音声信号が判定されるため、送話パワースペクトラム検知部２０９にて検知された送話周波数スペクトラムと受話パワースペクトラム検知部２１７にて検知された受話周波数スペクトラムとを比較し、送話周波数スペクトラムのレベルが受話周波数スペクトラムのレベルよりも大きい場合には送話モード、送話周波数スペクトラムのレベルが受話周波数スペクトラムのレベルよりも小さい場合には受話モードであるとそれぞれ検出し、その旨のモード検出情報をＣＰＵ２２０に送出する。ここでは、図３（ｂ）、図５（ｂ）にそれぞれ示すように、送話周波数スペクトラムのレベルが受話周波数スペクトラムのレベルよりも大きいことから、送話モードである旨のモード検出情報がＣＰＵ２２０に送出されることになる。
【００７３】
また、居室親機２ｂのパワースペクトラム比較部２１９は、図３（ａ）、図５（ａ）にそれぞれ示す時間Ｔ1bにおいて送話信号判定部２１０にて音声信号が判定される一方、受話信号判定部２１８にて無音信号が判定されるため、送話モードであると検出し、その旨のモード検出情報をＣＰＵ２２０に送出する。
【００７４】
さらに、居室親機２ｂのパワースペクトラム比較部２１９は、図３（ａ）、図５（ａ）にそれぞれ示す時間Ｔ1cにおいて送話信号判定部２１０にて無音信号が判定される一方、受話信号判定部２１８にて音声信号が判定されるため、受話モードであると検出し、その旨のモード検出情報をＣＰＵ２２０に送出する。
【００７５】
ここで、居室親機２ｂのＣＰＵ２２０は、送話モードである旨のモード検出情報を受信すると、図３（ａ）、図５（ａ）にそれぞれ示す時間Ｔ1a、Ｔ1bの各時間内において通話路切替部２１５を制御し、親機マイク２０２から親機通話部２０４への信号伝送ラインを形成する一方、親機通話部２０４から親機スピーカ２０３への信号伝送ラインは遮断する。この制御により、居室親機２ｂの親機マイク２０２に入力された親機入力信号である音声信号は、通話路切替部２１５、親機通話部２０４、子機側親機Ｉ／Ｆ２１２、伝送路Ｌ1、玄関子機１の子機Ｉ／Ｆ１０６、子機通話部１０５を経由して子機スピーカ１０４に伝送され、居住者の音声として子機スピーカ１０４から出力される。一方、玄関子機１の子機マイク１０３に入力された子機入力信号である音声信号は、子機通話部１０５、子機Ｉ／Ｆ１０６、伝送路Ｌ1、居室親機２ｂの子機側親機Ｉ／Ｆ２１２を経由して親機通話部２０４に伝送されるものの来訪者の音声として親機スピーカ２０３から出力されることはなく、ゆえに、親機スピーカ２０３から親機マイク２０２への音響帰還によるハウリングの発生を防止することができ、良好な通話音質が確保される。
【００７６】
また、居室親機２ｂのＣＰＵ２２０は、受話モードである旨のモード検出情報を受信すると、図３（ａ）、図５（ａ）にそれぞれ示す時間Ｔ1cの時間内において通話路切替部２１５を制御し、親機通話部２０４から親機スピーカ２０３への信号伝送ラインを形成する一方、親機マイク２０２から親機通話部２０４への信号伝送ラインは遮断する。この制御により、玄関子機１の子機マイク１０３に入力された子機入力信号である音声信号は、子機通話部１０５、子機Ｉ／Ｆ１０６、伝送路Ｌ1、居室親機２ｂの子機側親機Ｉ／Ｆ２１２、親機通話部２０４、通話路切替部２１５を経由して親機スピーカ２０３に伝送され、来訪者の音声として親機スピーカ２０３から出力される。
【００７７】
なお、前述のような受話モードであるとき、居室親機２ｂの親機マイク２０２には、音声信号又は無音信号が入力されることになるものの、この音声信号又は無音信号は、伝送路Ｌ1を経由して玄関子機１に伝送されることはなく、ゆえに、居住者の音声又は住戸内の周囲環境音が子機スピーカ１０４から出力されないため、通話の成立中における住戸内の周囲環境のプライバシーを確保することができる。
【００７８】
次に、来訪者による玄関子機１からの呼び出しがあることを、来訪者の判別と併せて確認できた居住者及びＩＰ電話４の利用者のうち、最先に応答した人物、ここでは、ＩＰ電話４の利用者が電話操作部４０３を使用して所定の応答操作を行うと、この操作を検出したＩＰ電話４は、電話マイク４０１及び電話スピーカ４０２の使用による通話機能を能動にする。また、居室親機２ｂのＣＰＵ２２０は、ＩＰ電話４から汎用ネットワーク３、ネットワーク側親機Ｉ／Ｆ２２１を経由して伝送されてくる制御信号（詳述せず。）をもとに、ＩＰ電話４の利用者による応答操作を検出し、親機通話部２０４、送話演算部２０８、送話パワースペクトラム検知部２０９、送話信号判定部２１０、コーデック部２１４、受話演算部２１６、受話パワースペクトラム検知部２１７、受話信号判定部２１８及びパワースペクトラム比較部２１９と玄関子機１の子機通話部１０５とがそれぞれ能動となるように制御する。
【００７９】
ここで、居室親機２ｂの送話演算部２０８は、ＩＰ電話４の電話マイク４０１に入力された後、汎用ネットワーク３、ネットワーク側親機Ｉ／Ｆ２２１を経由して伝送されてきたデータ信号を所定の時間Ｔ2a、Ｔ2b、Ｔ2c毎、例えば、前述の第１の実施例と同様、図４（ａ）に示す２０ｍｓ毎に時系列で区切り、特定の周波数、例えば、図４（ｂ）、（ｃ）、（ｄ）にそれぞれ示す６９７Ｈｚ〜１６３３Ｈｚの間のパワースペクトラムを演算する。また、送話パワースペクトラム検知部２０９は、送話演算部２０８の演算結果をもとに、図４（ｂ）、（ｃ）、（ｄ）にそれぞれ示す所定の閾値を超えた周波数スペクトラムを検知する。
【００８０】
居室親機２ｂの送話信号判定部２１０は、送話パワースペクトラム検知部２０９の検知結果をもとに、所定の閾値を超えた周波数スペクトラム（送話周波数スペクトラム）の本数ｎ（ここに、ｎは０及び正の整数。）を確認する。ここでは、前述の第１の実施例と同様、時間Ｔ2aにおける周波数スペクトラムの本数ｎが図４（ｂ）に示すように「０本」、時間Ｔ2bにおけるパワースペクトラムの本数ｎが図４（ｃ）に示すように「５本」、時間Ｔ2cにおけるパワースペクトラムの本数ｎが図４（ｄ）に示すように「３本」であることをそれぞれ確認する。また、送話信号判定部２１０は、前述の第１の実施例と同様、時間Ｔ2a、Ｔ2b、Ｔ2cの各時間における周波数スペクトラムの本数ｎをもとに、この本数ｎがｎ＞２、ｎ＜２となる２つの異なる態様に対応させて、時間Ｔ2aにおけるデータ信号が無音信号、例えば、ＩＰ電話４の周囲環境音であり、時間Ｔ2b、Ｔ2cの各時間におけるデータ信号がＩＰ電話４の利用者の音声による音声信号であることをそれぞれ判別し、その旨の信号判別情報をパワースペクトラム比較部２１９に送出する。
【００８１】
一方、居室親機２ｂの受話演算部２１６は、玄関子機１の子機マイク１０３に入力された後、子機通話部１０５、子機Ｉ／Ｆ１０６、伝送路Ｌ1、子機側親機Ｉ／Ｆ２１２、コーデック部２１４を経由してＡ／Ｄ変換された子機入力信号を所定の時間Ｔ2a、Ｔ2b、Ｔ2c毎、例えば、図５（ａ）に示す２０ｍｓ毎に時系列で区切り、特定の周波数、例えば、図５（ｂ）、（ｃ）、（ｄ）にそれぞれ示す６９７Ｈｚ〜１６３３Ｈｚの間のパワースペクトラムを演算する。また、受話パワースペクトラム検知部２１７は、受話演算部２１６の演算結果をもとに、図５（ｂ）、（ｃ）、（ｄ）にそれぞれ示す所定の閾値を超えた周波数スペクトラムを検知する。
【００８２】
居室親機２ｂの受話信号判定部２１８は、受話パワースペクトラム検知部２１７の検知結果をもとに、所定の閾値を超えた周波数スペクトラム（受話周波数スペクトラム）の本数ｎ（ここに、ｎは０及び正の整数。）を確認する。ここでは、時間Ｔ2aにおける周波数スペクトラムの本数ｎが図５（ｂ）に示すように「５本」、時間Ｔ2bにおける周波数スペクトラムの本数ｎが図５（ｂ）に示すように「１本」、時間Ｔ2cにおける周波数スペクトラムの本数ｎが図５（ｄ）に示すように「７本」であることをそれぞれ確認する。また、受話信号判定部２１８は、時間Ｔ2a、Ｔ2b、Ｔ2cの各時間における周波数スペクトラムの本数ｎをもとに、この本数ｎがｎ＞２、ｎ＜２となる２つの異なる態様に対応させて、時間Ｔ2a、Ｔ2cの各時間における子機入力信号が来訪者の音声による音声信号、時間Ｔ2bにおける子機入力信号が無音信号、例えば、住戸外の周囲環境音であることをそれぞれ判別し、その旨の信号判別情報をパワースペクトラム比較部２１９に送出する。
【００８３】
居室親機２ｂのパワースペクトラム比較部２１９は、図４（ａ）、図５（ａ）にそれぞれ示す時間Ｔ2aにおいて送話信号判定部２１０にて無音信号が判定される一方、受話信号判定部２１８にて音声信号が判定されるため、受話モードであると検出し、その旨のモード検出情報をＣＰＵ２２０に送出する。
【００８４】
また、居室親機２ｂのパワースペクトラム比較部２１９は、図４（ａ）、図５（ａ）にそれぞれ示す時間Ｔ2bにおいて送話信号判定部２１０にて音声信号が判定される一方、受話信号判定部２１８にて無音信号が判定されるため、送話モードであると検出し、その旨のモード検出情報をＣＰＵ２２０に送出する。
【００８５】
さらに、居室親機２ｂのパワースペクトラム比較部２１９は、図４（ａ）、図５（ａ）にそれぞれ示す時間Ｔ2cにおいて送話信号判定部２１０及び受話信号判定部２１８にてそれぞれ、音声信号が判定されるため、送話パワースペクトラム検知部２０９にて検知された送話周波数スペクトラムと受話パワースペクトラム検知部２１７にて検知された受話周波数スペクトラムとを比較し、送話周波数スペクトラムのレベルが受話周波数スペクトラムのレベルよりも大きい場合には送話モード、送話周波数スペクトラムのレベルが受話周波数スペクトラムのレベルよりも小さい場合には受話モードであるとそれぞれ検出し、その旨のモード検出情報をＣＰＵ２２０に送出する。ここでは、図４（ｃ）、図５（ｃ）にそれぞれ示すように、受話周波数スペクトラムのレベルが送話周波数スペクトラムのレベルよりも大きいことから、受話モードである旨のモード検出情報がＣＰＵ２２０に送出されることになる。
【００８６】
ここで、居室親機２ｂのＣＰＵ２２０は、送話モードである旨のモード検出情報を受信すると、図４（ａ）、図５（ａ）に示す時間Ｔ2bの時間内において通話路切替部２１５を制御し、コーデック部２１４から親機通話部２０４への信号伝送ラインを形成する一方、親機通話部２０４からコーデック部２１４への信号伝送ラインは遮断する。この制御により、ＩＰ電話４の電話マイク４０２に入力されたデータ信号である音声信号は、汎用ネットワーク３、居室親機２ｂのネットワーク側親機Ｉ／Ｆ２２１、コーデック部２１４、通話路切替部２１５、親機通話部２０４、子機側親機Ｉ／Ｆ２１２、伝送路Ｌ1、玄関子機１の子機Ｉ／Ｆ１０６、子機通話部１０５を経由して子機スピーカ１０４に伝送され、ＩＰ電話４の利用者の音声として子機スピーカ１０４から出力される。一方、玄関子機１の子機マイク１０３に入力された子機入力信号である音声信号は、子機通話部１０５、子機Ｉ／Ｆ１０６、伝送路Ｌ1、居室親機２ｂの子機側親機Ｉ／Ｆ２１２を経由して親機通話部２０４に伝送されるものの来訪者の音声としてＩＰ電話４の電話スピーカ４０２から出力されることはなく、ゆえに、電話スピーカ４０２から電話マイク４０１への音響帰還によるハウリングの発生を防止することができ、良好な通話音質が確保される。
【００８７】
また、居室親機２ｂのＣＰＵ２２０は、受話モードである旨のモード検出情報を受信すると、図４（ａ）、図５（ａ）に示す時間Ｔ2a、Ｔ2cの各時間内において通話路切替部２１５を制御し、親機通話部２０４からコーデック部２１４への信号伝送ラインを形成する一方、コーデック部２１４から親機通話部２０４への信号伝送ラインは遮断する。この制御により、玄関子機１の子機マイク１０３に入力された子機入力信号である音声信号は、子機通話部１０５、子機Ｉ／Ｆ１０６、伝送路Ｌ1、居室親機２ｂの子機側親機Ｉ／Ｆ２１２、親機通話部２０４、通話路切替部２１５、コーデック部２１４、ネットワーク側親機Ｉ／Ｆ２２１、汎用ネットワーク３を経由してＩＰ電話４に伝送され、来訪者の音声として電話スピーカ４０２から出力される。このとき、ＩＰ電話４の電話マイク４０１に入力されたデータ信号である音声信号は、汎用ネットワーク３、居室親機２ｂのネットワーク側親機Ｉ／Ｆ２２１を経由してコーデック部２１４に伝送されるもののＩＰ電話４の利用者の音声として玄関子機１の子機スピーカ１０４から出力されることはない。
【００８８】
なお、前述のような受話モードであるとき、ＩＰ電話４の電話マイク４０１には、音声信号又は無音信号が入力されることになるものの、この音声信号又は無音信号は、汎用ネットワーク３、居室親機２ｂ、伝送路Ｌ1を経由して玄関子機１に伝送されることはなく、ゆえに、ＩＰ電話４の使用者の音声又はＩＰ電話４の周囲環境音が子機スピーカ１０４から出力されないため、通話の成立中におけるＩＰ電話４の周囲環境のプライバシーを確保することができる。
【００８９】
また、本発明の第２の実施例によるインターホンシステムにおいては、居室親機２ｂの送話演算部２０８及び受話演算部２１６にて行う演算処理、送話パワースペクトラム検知部２０９及び受話パワースペクトラム検知部２１７にて行う検知処理、送話信号判定部２１０及び受話信号判定部２１８にて行う判定処理はそれぞれ、所定の時間毎である例えば、２０ｍｓ毎に時系列で区切って繰り返し行われることから、各動作に必要とされる構成部を単一で設けることができる。
【００９０】
最後に、本発明のインターホンシステムにおいては、特定の実施の形態をもって説明してきたが、この形態に限定されるものでなく、本発明の効果を奏する限り、これまで知られた如何なる構成のインターホンシステム、例えば、映像の撮像／処理機能（１０１、１０２）が不備とされる当該玄関子機及び映像の出画／処理機能（２００、２０１）が不備とされる当該居室親機を有するインターホンシステムであっても採用できるということはいうまでもないことである。
【図面の簡単な説明】
【００９１】
【図１】図１は、本発明の第１の実施例によるインターホンシステムの具体的な構成を示すブロック図である。
【図２】図２は、本発明の第２の実施例によるインターホンシステムの具体的な構成を示すブロック図である。
【図３】図３（ａ）は、本発明の第１、第２の各実施例によるインターホンシステムにおいて、居室親機の親機マイクに入力される親機入力信号の一例を示す説明図である。また、図３（ｂ）、（ｃ）、（ｄ）はそれぞれ、同実施例における親機入力信号の種類毎の信号処理の一例を示す説明図である。
【図４】図４（ａ）は、本発明の第１、第２の各実施例によるインターホンシステムにおいて、汎用ネットワークを経由してＩＰ電話から居室親機に伝送されてくるデータ信号の一例を示す説明図である。また、図４（ｂ）、（ｃ）、（ｄ）はそれぞれ、同実施例におけるデータ信号の種類毎の信号処理の一例を示す説明図である。
【図５】図５（ａ）は、本発明の第２の実施例によるインターホンシステムにおいて、玄関子機の子機マイクに入力される子機入力信号の一例を示す説明図である。また、図５（ｂ）、（ｃ）、（ｄ）はそれぞれ、同実施例における子機入力信号の種類毎の信号処理の一例を示す説明図である。
【符号の説明】
【００９２】
１……玄関子機
１０３……子機マイク
１０４……子機スピーカ
２ａ……居室親機
２０２……親機マイク
２０３……親機スピーカ
２０６……通話路切替部
２０８……送話演算部
２０９……送話パワースペクトラム検知部
２１０……送話信号判定部
２１１……ＣＰＵ
２ｂ……居室親機
２０２……親機マイク
２０３……親機スピーカ
２０８……送話演算部
２０９……送話パワースペクトラム検知部
２１０……送話信号判定部
２１５……通話路切替部
２１６……受話演算部
２１７……受話パワースペクトラム検知部
２１８……受話信号判定部
２１９……パワースペクトラム比較部
２２０……ＣＰＵ
３……汎用ネットワーク
４……ＩＰ電話
【図１】
2009060208.tif 000003
【図２】
2009060208.tif 000004
【図３】
2009060208.tif 000005
【図４】
2009060208.tif 000006
【図５】
2009060208.tif 000007